(57)【特許請求の範囲】
【請求項１】
表示部を有する電子機器と、該電子機器との間で近距離無線通信が可能な携帯端末とを備えた操作入力システムであって、
前記電子機器は、前記表示部に特定画面を表示させた状態で、前記携帯端末の近接を検知したことに応答して、自動的に前記特定画面に予め対応付けられた操作入力情報を前記
携帯端末に送信する操作入力情報送信部を備え、
前記操作入力情報は、前記特定画面に表示されていない操作入力項目であり、
前記携帯端末は、前記電子機器から送信された前記操作入力情報に基づく操作入力画面を表示する操作入力画面表示部と、前記操作入力画面からユーザにより指示された操作内容を前記電子機器に送信する操作内容送信部とを備え、
前記電子機器は、前記携帯端末から送信された操作内容に従って、前記特定画面を更新する画面更新部を備えたことを特徴とする操作入力システム。
【請求項２】
前記電子機器は、前記携帯端末との間で近距離無線通信の接続が確立されたときに、前記携帯端末との間で前記近距離無線通信よりも長距離での無線通信が可能な他の無線通信の接続を確立することを特徴とする請求項１に記載の操作入力システム。
【請求項３】
前記電子機器の前記操作入力情報送信部は、前記操作入力情報として、前記特定画面に予め対応付けられた操作入力項目のＩＤ情報を前記携帯端末に送信し、
前記携帯端末は、前記操作入力項目のＩＤ情報に対応付けられた操作入力画面情報を記憶する操作入力画面情報記憶部を備え、
前記操作入力画面表示部は、前記操作入力画面情報記憶部に記憶されている操作入力画面情報に従って操作入力画面を表示することを特徴とする請求項１または２に記載の操作入力システム。
【請求項４】
前記電子機器の前記操作入力情報送信部は、前記操作入力情報として、前記特定画面に予め対応付けられた操作入力項目のＩＤ情報を含む操作入力画面情報を前記携帯端末に送信し、
前記携帯端末の前記操作入力画面表示部は、前記操作入力画面情報に従って操作入力画面を表示することを特徴とする請求項１または２に記載の操作入力システム。
【請求項５】
前記操作入力項目は、ユーザにより予め設定されたものであることを特徴とする請求項３または４に記載の操作入力システム。
【請求項６】
前記電子機器が画像形成装置である場合、前記特定画面はプレビュー画面であり、前記操作入力項目は前記プレビュー画面に表示される印刷プレビュー画像の編集に係る項目であることを特徴とする請求項３〜５のいずれか１項に記載の操作入力システム。
【請求項７】
前記電子機器が電子黒板である場合、前記特定画面は手書き入力画面であり、前記操作入力項目は前記手書き入力画面に表示される手書き入力画像の編集に係る項目であることを特徴とする請求項３〜５のいずれか１項に記載の操作入力システム。
【請求項８】
表示部を有し、携帯端末との間で近距離無線通信が可能な電子機器であって、
該電子機器は、前記表示部に特定画面を表示させた状態で、前記携帯端末の近接を検知したことに応答して、自動的に前記特定画面に予め対応付けられた操作入力情報を前記携帯端末に送信する操作入力情報送信部と、
前記携帯端末から、前記操作入力情報に対してユーザにより指示された操作内容を受信する操作内容受信部と、
該操作内容受信部により受信した操作内容に従って、前記特定画面を更新する画面更新部とを備え、
前記操作入力情報は、前記特定画面に表示されていない操作入力項目であることを特徴とする電子機器。
【請求項９】
表示部を有する電子機器との間で近距離無線通信が可能な携帯端末であって、
該携帯端末は、前記表示部に特定画面が表示された状態の前記電子機器に近接したときに、前記携帯端末の近接を検知したことに応答して、自動的に前記特定画面に予め対応付けられた操作入力情報を前記携帯端末に送信する操作入力情報部を備えた該電子機器から前記特定画面に予め対応付けられた操作入力項目のＩＤ情報を受信する操作入力情報受信部と、
前記操作入力項目のＩＤ情報に対応付けられた操作入力画面情報を記憶する操作入力画面情報記憶部と、
該操作入力画面情報記憶部により記憶されている操作入力画面情報に従って操作入力画面を表示する操作入力画面表示部と、
前記操作入力画面からユーザにより指示された操作内容を前記電子機器に送信する操作内容送信部とを備え、
前記操作入力情報は、前記特定画面に表示されていない操作入力項目であり、
該操作内容送信部により送信した操作内容に従って、前記電子機器の前記特定画面を更新させることを特徴とする携帯端末。
【請求項１０】
表示部を有する電子機器と、該電子機器との間で近距離無線通信が可能な携帯端末とを備えた操作入力システムによる操作入力方法であって、
前記電子機器が、前記表示部に特定画面を表示させた状態で、前記携帯端末の近接を検知したことに応答して、自動的に前記特定画面に予め対応付けられた操作入力情報を前記携帯端末に送信するステップを備え、
前記携帯端末が、前記電子機器から送信された前記操作入力情報に基づく操作入力画面を表示するステップと、前記操作入力画面からユーザにより指示された操作内容を前記電子機器に送信するステップとを備え、
前記電子機器が、前記携帯端末から送信された操作内容に従って、前記特定画面を更新するステップを備え、
前記操作入力情報は、前記特定画面に表示されていない操作入力項目であることを特徴とする操作入力方法。
【発明の詳細な説明】
【技術分野】
【０００１】
本発明は、操作入力システム、電子機器、携帯端末、及び操作入力方法に関し、より詳細には、画像形成装置等の電子機器と携帯端末とを連携させ、携帯端末を用いた操作入力を可能とする操作入力システム、電子機器、携帯端末、及び操作入力方法に関する。
【背景技術】
【０００２】
画像形成装置の一つであるＭＦＰ（Multi-Function Peripheral:デジタル複合機）は、プリンタ機能、コピー機能、ファクシミリ機能、スキャナ機能などの複数の機能を備えたものである。このような画像形成装置は、通常、タッチパネル機能を備えた液晶ディスプレイを有しており、ユーザからの操作入力を受け付けるようになっている。また、このような画像形成装置の中には、上記の液晶ディスプレイを利用して、画像データの印刷前に印刷イメージ（印刷プレビュー画像）を画面上に表示するプレビュー表示機能を備えたものがある。ユーザはこのプレビュー表示機能を利用することで、画像データの印刷物を実際に印刷出力する前に画面上で確認することができ、また、画面上の印刷イメージが所望のものと異なっている場合には、画面上で編集等を行うことができる。
【０００３】
図１３は、従来の画像形成装置におけるプレビュー表示機能を説明するための図である。図中、１００はプレビュー画面、１０１は編集ボタン、１０２は各種編集メニュー画面、１０３はＯＫボタン、１０４はフッタを示す。ユーザが画像形成装置に所定の操作を行うことにより、画像形成装置はそのタッチパネル画面にプレビュー画面１００を表示させる。そして、このプレビュー画面１００には画像データの印刷プレビュー画像が表示される。
【０００４】
まず、ユーザは、プレビュー画面１００を見て、編集対象とするページを選択する（Ｓ１０１）。ここではユーザのタッチ操作により「Ｐａｇｅ１」が選択される。次に、ユーザが、プレビュー画面１００に表示される編集ボタン１０１を押下（タッチ）すると（Ｓ１０２）、画像形成装置は、タッチパネル画面を遷移させ、タッチパネル画面に各種編集メニュー画面１０２を表示する（Ｓ１０３）。この各種編集メニュー画面１０２には、例えば、両面設定、ページ集約、パンチ設定、ヘッダ設定、白紙飛ばし、ブック印刷、フッタ設定、地紋設定、ステープル、などの編集項目がユーザにより選択可能に表示される。
【０００５】
そして、ユーザが、上記Ｓ１０３で各種編集メニュー画面１０２の中から所望の編集項目を選択し、さらに、ＯＫボタン１０３を押下することにより、当該編集項目の編集内容が印刷プレビュー画像に反映される（Ｓ１０４）。ここではユーザのタッチ操作により「フッタ設定」が選択され、フッタに日付を挿入するように設定がなされる。
【０００６】
そして、画像形成装置は、タッチパネル画面を遷移させ、タッチパネル画面に再びプレビュー画面１００を表示するが、プレビュー画面１００には上記Ｓ１０４での編集内容が反映された状態で表示される。つまり、本例の場合、プレビュー画面１００の「Ｐａｇｅ１」のフッタ１０４に日付が挿入されて表示される（Ｓ１０５）。なお、その他の「Ｐａｇｅ２」，「Ｐａｇｅ３」，…にも編集を行う場合には、Ｓ１０１からの処理を繰り返し行う。
【０００７】
一方、大型の液晶ディスプレイとタッチパネルを用いて、ユーザの指あるいはペンによる手書き入力を可能とした電子黒板が実用化されている。
【０００８】
図１４は、従来の電子黒板における手書き入力機能を説明するための図である。図中、１１０は手書き入力画面、１１１は各種設定変更ボタン、１１２は各種設定変更画面、１１３は手書き入力画像を示す。ユーザが電子黒板に所定の操作を行うことにより、電子黒板はその手書き入力画面１１０に各種設定変更ボタン１１１を表示させる。なお、この手書き入力画面１１０はタッチ操作を可能とし、ユーザの指あるいはペンにより入力された座標や軌跡を認識し、手書き入力画像として表示することができる。
【０００９】
まず、ユーザが、手書き入力画面１１０に表示される各種設定変更ボタン１１１を押下（タッチ）すると（Ｓ１１１）、電子黒板は、手書き入力画面１１０に各種設定変更画面１１２を表示する（Ｓ１１２）。この各種設定変更画面１１２には、例えば、「ペンの種類」、「ペンの太さ」、「ペンの色」、などがユーザにより選択可能に表示される。「ペンの種類」では、ペン先の形状を丸型、四角型、三角型などと設定することができる。「ペンの太さ」では、ペンの太さを太い、ふつう、細いなどと設定することができる。「ペンの色」では、ペンの色を黒、赤、緑などと設定することができる。
【００１０】
そして、ユーザが、上記のＳ１１２で各種設定変更画面１１２から所望の設定を選択した後に、各種設定変更ボタン１１１を押下し、各種設定変更画面１１２を閉じると（Ｓ１１３）、電子黒板は、Ｓ１１２でユーザが選択した設定を、ユーザの指あるいはペンによる手書き入力画像１１３に反映させる（Ｓ１１４）。例えば、各種設定変更画面１１２から、ペンの設定が“丸型，太い，赤色”に設定されている場合、ユーザが指あるいはペンにより手書き入力画面１１０に入力した手書き入力画像１１３が、“丸型，太い，赤色”に変更されて表示される。
【００１１】
しかしながら、上記の図１３や図１４で説明した操作入力では、複数回の画面遷移が発生し、ユーザの利便性が悪いという問題がある。また、機能が増えるたびに、階層が深くなり、ユーザが必要とする機能にたどり着くまでに操作回数が増え、ユーザの負担が大きいという問題もある。
【００１２】
これに対して、画像形成装置や電子黒板などの電子機器と、スマートフォン等の携帯端末とを連携させて、ユーザの利便性を向上させる技術が種々提案されている。例えば、特許文献１には、画像形成装置と、サーバと、携帯端末とからなるシステムが記載されている。これによれば、サーバに携帯端末がかざされると、サーバはユーザ認証を行い、画像形成装置の実行状態に応じたメニュー情報を生成し携帯端末に送る。携帯端末ではサーバから取得したメニュー情報の中から所望のサービスや設定値の選択を行い、再度サーバにかざす。サーバでは携帯端末から選択応答情報を取得し、この情報で指定されるサービスを実行するように画像形成装置を制御する。
【先行技術文献】
【特許文献】
【００１３】
【特許文献１】特開２０１２−８９１６１号公報
【発明の概要】
【発明が解決しようとする課題】
【００１４】
しかしながら、上記の特許文献１に記載の発明では、携帯端末からの操作入力に応じて、画像形成装置を制御することができるが、サーバを介する必要があるため、ユーザからすると、携帯端末から入力した内容がどのように画像形成装置に反映されているか知ることができない。
【００１５】
本発明は、上述のような実情に鑑みてなされたもので、画像形成装置等の電子機器と携帯端末とを連携させ、電子機器の画面遷移をなくし、電子機器の画面上で携帯端末からの操作内容を確認しながら各種の操作入力を行える操作入力システム、電子機器、携帯端末、及び操作入力方法を提供することを目的とする。
【課題を解決するための手段】
【００１６】
上記課題を解決するために、本発明の第１の技術手段は、表示部を有する電子機器と、該電子機器との間で近距離無線通信が可能な携帯端末とを備えた操作入力システムであって、前記電子機器は、前記表示部に特定画面を表示させた状態で、前記携帯端末の近接を検知したことに応答して、自動的に前記特定画面に予め対応付けられた操作入力情報を前記携帯端末に送信する操作入力情報送信部を備え、前記操作入力情報は、前記特定画面に表示されていない操作入力項目であり、前記携帯端末は、前記電子機器から送信された前記操作入力情報に基づく操作入力画面を表示する操作入力画面表示部と、前記操作入力画面からユーザにより指示された操作内容を前記電子機器に送信する操作内容送信部とを備え、前記電子機器は、前記携帯端末から送信された操作内容に従って、前記特定画面を更新する画面更新部を備えたことを特徴としたものである。
【００１７】
第２の技術手段は、第１の技術手段において、前記電子機器は、前記携帯端末との間で近距離無線通信の接続が確立されたときに、前記携帯端末との間で前記近距離無線通信よりも長距離での無線通信が可能な他の無線通信の接続を確立することを特徴としたものである。
【００１８】
第３の技術手段は、第１または第２の技術手段において、前記電子機器の前記操作入力情報送信部は、前記操作入力情報として、前記特定画面に予め対応付けられた操作入力項目のＩＤ情報を前記携帯端末に送信し、前記携帯端末は、前記操作入力項目のＩＤ情報に対応付けられた操作入力画面情報を記憶する操作入力画面情報記憶部を備え、前記操作入力画面表示部は、前記操作入力画面情報記憶部に記憶されている操作入力画面情報に従って操作入力画面を表示することを特徴としたものである。
【００１９】
第４の技術手段は、第１または第２の技術手段において、前記電子機器の前記操作入力情報送信部は、前記操作入力情報として、前記特定画面に予め対応付けられた操作入力項目のＩＤ情報を含む操作入力画面情報を前記携帯端末に送信し、前記携帯端末の前記操作入力画面表示部は、前記操作入力画面情報に従って操作入力画面を表示することを特徴としたものである。
【００２０】
第５の技術手段は、第３または第４の技術手段において、前記操作入力項目は、ユーザにより予め設定されたものであることを特徴としたものである。
【００２１】
第６の技術手段は、第３〜第５のいずれか１の技術手段において、前記電子機器が画像形成装置である場合、前記特定画面はプレビュー画面であり、前記操作入力項目は前記プレビュー画面に表示される印刷プレビュー画像の編集に係る項目であることを特徴としたものである。
【００２２】
第７の技術手段は、第３〜第５のいずれか１の技術手段において、前記電子機器が電子黒板である場合、前記特定画面は手書き入力画面であり、前記操作入力項目は前記手書き入力画面に表示される手書き入力画像の編集に係る項目であることを特徴としたものである。
【００２３】
第８の技術手段は、表示部を有し、携帯端末との間で近距離無線通信が可能な電子機器であって、該電子機器は、前記表示部に特定画面を表示させた状態で、前記携帯端末の近接を検知したことに応答して、自動的に前記特定画面に予め対応付けられた操作入力情報を前記携帯端末に送信する操作入力情報送信部と、前記携帯端末から、前記操作入力情報に対してユーザにより指示された操作内容を受信する操作内容受信部と、該操作内容受信部により受信した操作内容に従って、前記特定画面を更新する画面更新部とを備え、前記操作入力情報は、前記特定画面に表示されていない操作入力項目であることを特徴としたものである。
【００２４】
第９の技術手段は、表示部を有する電子機器との間で近距離無線通信が可能な携帯端末であって、該携帯端末は、前記表示部に特定画面が表示された状態の前記電子機器に近接したときに、前記携帯端末の近接を検知したことに応答して、自動的に前記特定画面に予め対応付けられた操作入力情報を前記携帯端末に送信する操作入力情報部を備えた該電子機器から前記特定画面に予め対応付けられた操作入力項目のＩＤ情報を受信する操作入力情報受信部と、前記操作入力項目のＩＤ情報に対応付けられた操作入力画面情報を記憶する操作入力画面情報記憶部と、該操作入力画面情報記憶部により記憶されている操作入力画面情報に従って操作入力画面を表示する操作入力画面表示部と、前記操作入力画面からユーザにより指示された操作内容を前記電子機器に送信する操作内容送信部とを備え、前記操作入力情報は、前記特定画面に表示されていない操作入力項目であり、該操作内容送信部により送信した操作内容に従って、前記電子機器の前記特定画面を更新させることを特徴としたものである。
【００２５】
第１０の技術手段は、表示部を有する電子機器と、該電子機器との間で近距離無線通信が可能な携帯端末とを備えた操作入力システムによる操作入力方法であって、前記電子機器が、前記表示部に特定画面を表示させた状態で、前記携帯端末の近接を検知したことに応答して、自動的に前記特定画面に予め対応付けられた操作入力情報を前記携帯端末に送信するステップを備え、前記携帯端末が、前記電子機器から送信された前記操作入力情報に基づく操作入力画面を表示するステップと、前記操作入力画面からユーザにより指示された操作内容を前記電子機器に送信するステップとを備え、前記電子機器が、前記携帯端末から送信された操作内容に従って、前記特定画面を更新するステップを備え、前記操作入力情報は、前記特定画面に表示されていない操作入力項目であることを特徴としたものである。
【発明の効果】
【００２６】
本発明によれば、画像形成装置等の電子機器と携帯端末とを連携させ、電子機器の画面遷移をなくし、電子機器の画面上で携帯端末からの操作内容を確認しながら各種の操作入力を行うことができる。
【図面の簡単な説明】
【００２７】
【図１】本発明による操作入力システムの構成例を示す図である。
【図２】本発明の第１の実施形態に係る操作入力システムの構成例を示すブロック図である。
【図３】図２に示す画像形成装置の処理例を説明するためのフロー図である。
【図４】図２に示す携帯端末の処理例を説明するためのフロー図である。
【図５】画面遷移の一例を示す図である。
【図６】組み合わせ可否テーブルの一例を示す図である。
【図７】本発明の第２の実施形態に係る画像形成装置の処理例を説明するためのフロー図である。
【図８】画像形成装置に表示されるＷｉＦｉペアリング設定画面の一例を示す図である。
【図９】本発明の第３の実施形態に係る操作入力システムの構成例を示すブロック図である。
【図１０】本発明の第３の実施形態に係る操作入力システムの処理例を説明するための図である。
【図１１】本発明の第３の実施形態に係る操作入力システムの他の処理例を説明するための図である。
【図１２】本発明の第３の実施形態に係る操作入力システムの更に他の処理例を説明するための図である。
【図１３】従来の画像形成装置におけるプレビュー表示機能を説明するための図である。
【図１４】従来の電子黒板における手書き入力機能を説明するための図である。
【発明を実施するための形態】
【００２８】
以下、添付図面を参照しながら、本発明の操作入力システム、電子機器、携帯端末、及び操作入力方法に係る好適な実施の形態について説明する。
【００２９】
図１は、本発明による操作入力システムの構成例を示す図で、図中、１は電子機器、２は携帯端末を示す。電子機器１は、液晶ディスプレイなどの表示部を有しており、例えば、前述の図１３，図１４で説明した画像形成装置，電子黒板などを例示することができる。また、携帯端末２としては、例えば、スマートフォンや携帯電話機をはじめ、タブレット端末などであってもよい。電子機器１と携帯端末２とは、例えば、ＮＦＣ(Near Field Communication)などの近距離無線通信（短距離無線通信ともいう）により相互に接続可能である。
【００３０】
（第１の実施形態）
図２は、本発明の第１の実施形態に係る操作入力システムの構成例を示すブロック図である。本例のシステムは、電子機器１の一例である画像形成装置１ａと、画像形成装置１ａとの間で近距離無線通信が可能な携帯端末２とにより構成される。図２（Ａ）は画像形成装置１ａの構成例を示し、図２（Ｂ）は携帯端末２の構成例を示す。画像形成装置１ａは、プリンタ機能，コピー機能，ファクシミリ機能，スキャナ機能などの複数の機能を備えたＭＦＰ（デジタル複合機）として例示できるが、単一機能のプリンタや複写機などであってもよい。
【００３１】
図２（Ａ）において、画像形成装置１ａは、原稿画像を光学的に読み取って画像データを入力する原稿読取部１１ａと、画像データに基づき画像を形成する画像形成部１２ａと、画像データに各種画像処理を施す画像処理部１３ａと、タッチパネルを有する操作表示部１４ａと、画像形成装置１ａの動作を制御するＣＰＵやメモリ等からなる制御部１５ａと、ハードディスクや半導体メモリなどの記憶部１６ａと、テンキーや各種操作キーを含む操作入力部１７ａと、携帯端末２との間でＷｉＦｉなどの無線ＬＡＮ(Local Area Network)通信を行う無線ＬＡＮＩ／Ｆ（インターフェイス）１８ａと、携帯端末２との間でＮＦＣなどの近距離無線通信を行う近距離無線通信部１９ａとを備える。
【００３２】
図２（Ｂ）において、携帯端末２は、画像形成装置１ａとの間でＮＦＣなどの近距離無線通信を行う近距離無線通信部２１と、半導体メモリなどの記憶部２２と、画像形成装置１ａとの間でＷｉＦｉなどの無線ＬＡＮ通信を行う無線ＬＡＮＩ／Ｆ２３と、携帯端末２の動作を制御するＣＰＵやメモリ等からなる制御部２４と、タッチパネルを有する操作表示部２５と、ＣＣＤ(Charge Coupled Device)などの撮像素子からなる撮影部２６とを備える。
【００３３】
本実施形態では、画像形成装置と携帯端末とを連携させ、画像形成装置の画面遷移をなくし、画像形成装置の画面上で携帯端末からの操作内容を確認しながら各種の操作入力を行えるようにする。このための構成として、画像形成装置１ａは、操作表示部１４ａ（本発明の表示部に相当）に特定画面を表示させた状態で、携帯端末２の近接を検知した場合に、特定画面に予め対応付けられた操作入力情報を携帯端末２に送信する操作入力情報送信部を備える。この操作入力情報送信部は、画像形成装置１ａの制御部１５ａ及び近距離無線通信部１９ａにより実現される。より具体的には、ユーザが携帯端末２を画像形成装置１ａの操作表示部１４ａにかざしたときに、画像形成装置１ａの近距離無線通信部１９ａが携帯端末２の近接を検知し、画像形成装置１ａの近距離無線通信部１９ａと携帯端末２の近距離無線通信部２１との間で例えばＮＦＣに基づく通信プロトコルが確立され、相互に通信可能に接続される。
【００３４】
また、画像形成装置１ａの操作表示部１４ａに表示される特定画面としては、例えば、前述の図１３に示したプレビュー画面を挙げることができる。また、画像形成装置１ａから携帯端末２へ送信される操作入力情報とは、プレビュー画面に予め対応付けられた操作入力項目のＩＤ情報、あるいは、プレビュー画面に予め対応付けられた操作入力項目のＩＤ情報を含む操作入力画面情報である。この操作入力項目としては、図１３に示したように、両面設定、ページ集約、パンチ設定、ヘッダ設定、白紙飛ばし、ブック印刷、フッダ設定、地紋設定、ステープルなどの編集項目をそのまま設定してもよく、あるいは、これら編集項目のうちでユーザがよく利用する編集項目のみを選択的に設定してもよい。具体的には、例えば、両面設定、ヘッダ設定、フッタ設定のみを予めプレビュー画面に対応付けておく。また、操作入力項目のＩＤ情報とは、これらの操作入力項目を識別し、操作入力項目に応じた操作内容を通知するための情報（操作コード情報など）である。画像形成装置１ａはこのＩＤ情報により通知される操作内容を実行するように制御される。また、本例における操作入力画面情報とは、上記の操作入力項目を画面上に表示させるための画面データである。
【００３５】
携帯端末２は、操作表示部１４ａにプレビュー画面が表示された状態の画像形成装置１ａに近接したときに、画像形成装置１ａからプレビュー画面に予め対応付けられた操作入力情報を受信する操作入力情報受信部と、受信した操作入力情報に基づく操作入力画面を表示する操作入力画面表示部と、操作入力画面からユーザにより指示された操作内容（すなわち、ＩＤ情報）を画像形成装置１ａに送信する操作内容送信部とを備える。なお、操作入力画面表示部は、携帯端末２の操作表示部２５に相当する。また、操作入力情報受信部及び操作内容送信部は、携帯端末２の制御部２４及び近距離無線通信部２１により実現される。ここで、携帯端末２の操作表示部２５に操作入力画面を表示させる方法としては、画像形成装置１ａから送信される操作入力情報の内容に応じて２通り考えられる。
【００３６】
まず、第１の方法として、操作入力情報が操作入力項目のＩＤ情報である場合について説明する。この場合、携帯端末２は、操作入力項目のＩＤ情報に対応付けられた操作入力画面情報を記憶する操作入力画面情報記憶部を備え、操作表示部２５は、この操作入力画面情報記憶部により記憶されている操作入力画面情報に従って操作入力画面を表示する。なお、操作入力画面情報記憶部は、携帯端末２の記憶部２２に相当する。つまり、第１の方法によれば、画像形成装置１ａが、プレビュー画面に予め対応付けられた操作入力項目のＩＤ情報を携帯端末２に送信する。携帯端末２の記憶部２２には、操作入力項目のＩＤ情報に対応付けて、操作入力画面情報が記憶されており、操作表示部２５は、記憶部２２に記憶されている操作入力画面情報に従って、後述の図５（Ｂ）に示すような操作入力画面を表示する。
【００３７】
また、第２の方法として、操作入力情報が操作入力項目のＩＤ情報を含む操作入力画面情報である場合について説明する。この場合、携帯端末２の操作表示部２５は、画像形成装置１ａから受信した操作入力画面情報に従って、操作入力画面を表示する。つまり、第２の方法によれば、画像形成装置１ａの記憶部１６ａには、プレビュー画面に予め対応付けられた操作入力項目のＩＤ情報を含む操作入力画面情報が記憶されており、この操作入力画面情報を携帯端末２へ送信する。そして、携帯端末２の操作表示部２５が、画像形成装置１ａからの操作入力画面情報に従って操作入力画面を表示する。なお、画像形成装置１ａ側で携帯端末２の画面解像度が分かっていない場合には、画像形成装置１ａが、携帯端末２と近距離無線通信を介して接続したときに、携帯端末２の画面解像度を取得し、この画面解像度に合わせて操作入力画面情報を適宜変換できるようにしておくとよい。
【００３８】
そして、画像形成装置１ａは、携帯端末２からユーザにより指示された操作内容（ＩＤ情報）を受信する操作内容受信部と、受信した操作内容に従ってプレビュー画面を更新する画面更新部とを備える。なお、操作内容受信部は、画像形成装置１ａの制御部１５ａ及び近距離無線通信部１９ａにより実現される。また、画面更新部は、画像形成装置１ａの制御部１５ａの一機能として実現される。以下、上記操作入力システムによる操作入力方法の具体例について図３〜図６に基づき説明する。
【００３９】
図３は、図２に示す画像形成装置１ａの処理例を説明するためのフロー図である。図４は、図２に示す携帯端末２の処理例を説明するためのフロー図である。図３（Ａ）において、まず、画像形成装置１ａは、ユーザによる所定の操作入力に応じて、図５（Ａ）に示すプレビュー画面１４１ａを操作表示部１４ａに表示する（ステップＳ１）。図５（Ａ）の例では、印刷プレビュー画像として、「Ｐａｇｅ１」、「Ｐａｇｅ２」、「Ｐａｇｅ３」、…が表示される。そして、画像形成装置１ａは、プレビュー画面１４１ａを表示させた状態で、携帯端末２が近接された際に、携帯端末２との間で近距離無線通信の接続が確立したか否かを判定する（ステップＳ２）。
【００４０】
次に、画像形成装置１ａは、上記ステップＳ２において、携帯端末２との間で近距離無線通信の接続が確立したと判定した場合（ＹＥＳの場合）、携帯端末２から操作入力情報の送信要求が有ったか否かを判定する（ステップＳ３）。また、上記ステップＳ２において、携帯端末２との間で近距離無線通信の接続が確立しないと判定した場合（ＮＯの場合）、ステップＳ２で待機状態に移行する。そして、画像形成装置１ａは、上記ステップＳ３において、携帯端末２から操作入力情報の送信要求が有ったと判定した場合（ＹＥＳの場合）、プレビュー画面１４１ａに予め対応付けられた操作入力情報を携帯端末２に送信し（ステップＳ４）、さらに、図６に示す操作入力情報の組み合わせ可否テーブルを携帯端末２に送信する（ステップＳ５）。本例では、操作入力情報として、ユーザによって予め設定されている編集項目、ここでは、印刷プレビュー画像の編集に係る両面設定、ヘッダ設定、フッタ設定のＩＤ情報が送信される。また、上記ステップＳ３において、携帯端末２から操作入力情報の送信要求がないと判定した場合（ＮＯの場合）、ステップＳ３で待機状態に移行する。
【００４１】
携帯端末２では、画像形成装置１ａから送信された、両面設定、ヘッダ設定、フッタ設定のＩＤ情報に対応付けられた操作入力画面情報を記憶しており、この操作入力画面情報に従って、操作表示部２５に操作入力画面を表示する。この操作入力画面の一例である各種編集メニュー画面を図５（Ｂ）に示す。つまり、図５（Ｂ）の各種編集メニュー画面２５１には、両面設定、ヘッダ設定、フッタ設定からなる編集項目がユーザにより選択可能に表示される。
【００４２】
ここで、図６の組み合わせ可否テーブルについて説明する。この組み合わせ可否テーブルは、図５（Ｂ）の各種編集メニュー画面２５１に表示される複数の編集項目の中で組み合わせが可能か否かを判定するためのものである。図６の例は、前述の図１３に示した各種編集メニュー画面１０２に含まれる編集項目を対象とした場合のテーブル構成であって、ページ集約、ブック印刷、白紙飛ばし、地紋設定、…の各編集項目について、組み合わせ可能な項目は「１」、組み合わせ不可の項目は「０」とされている。例えば、ページ集約の場合、ブック印刷は組み合わせ不可、白紙飛ばし及び地紋設定は組み合わせ可能となる。つまり、図５（Ｂ）の各種編集メニュー画面２５１において、ページ集約、ブック印刷、白紙飛ばし、地紋設定が表示されていると想定した場合、ユーザがページ集約を選択すると、ブック印刷は組み合わせ選択不可、白紙飛ばし及び地紋設定は組み合わせ選択可能とされる。
【００４３】
次に、図３（Ｂ）の処理フローにおいて、画像形成装置１ａは、携帯端末２の離脱を検知したか否かを判定し（ステップＳ６）、携帯端末２の離脱を検知、すなわち、携帯端末２が近距離無線通信の範囲外にあると判定した場合（ＹＥＳの場合）、近距離無線通信が一旦中断されるため、プレビュー画面１４１ａを表示させたままで、再び携帯端末２がかざされ、携帯端末２との間で近距離無線通信の接続が確立したか否かを判定する（ステップＳ７）。また、ステップＳ６において、携帯端末２の離脱を検知しない、すなわち、携帯端末２が近距離無線通信の範囲内にあると判定した場合（ＮＯの場合）、プレビュー画面１４１ａを表示させたまま、ステップＳ８に移行する。そして、画像形成装置１ａは、上記ステップＳ７において、携帯端末２との間で近距離無線通信の接続が確立したと判定した場合（ＹＥＳの場合）、携帯端末２から操作内容の反映要求が有ったか否かを判定する（ステップＳ８）。また、上記ステップＳ７において、携帯端末２との間で近距離無線通信の接続が確立しないと判定した場合（ＮＯの場合）、ステップＳ７で待機状態に移行する。
【００４４】
そして、画像形成装置１ａは、上記ステップＳ８において、携帯端末２から操作内容の反映要求が有ったと判定した場合（ＹＥＳの場合）、携帯端末２から、携帯端末２で選択・設定された操作内容を受信する（ステップＳ９）。図５（Ｂ）の例では、フッタ設定がユーザにより選択・設定されており、この操作内容として、「フッタ・日付」を受信する。また、上記ステップＳ８において、携帯端末２から操作内容の反映要求がないと判定した場合（ＮＯの場合）、ステップＳ８で待機状態に移行する。
【００４５】
次に、画像形成装置１ａは、ステップＳ９で受信した操作内容、つまり、図５（Ｂ）の各種編集メニュー画面２５１で指定された「フッタ・日付」に基づいて、図５（Ａ）に示す操作表示部１４ａのプレビュー画面１４１ａを更新する（ステップＳ１０）。具体的には、プレビュー画面１４１ａに表示される印刷プレビュー画像、「Ｐａｇｅ１」、「Ｐａｇｅ２」、「Ｐａｇｅ３」、…の中から、ユーザが編集対象とするものをタッチ操作により選択する。例えば、図５（Ｃ）に示すように、「Ｐａｇｅ１」がユーザにより選択された場合、この「Ｐａｇｅ１」のフッタ１４２ａに日付が自動的に挿入される。なお、「Ｐａｇｅ１」以外にも編集したいページがあれば、ユーザがプレビュー画面１４１ａの該当ページをタッチすることで、同様の内容が即座に反映される。
【００４６】
次に、画像形成装置１ａは、携帯端末２から、他の操作内容を受信したか否かを判定し（ステップＳ１１）、他の操作内容を受信したと判定した場合（ＹＥＳの場合）、ステップＳ１０に戻って処理を繰り返し、そうでない場合（ＮＯの場合）、そのまま終了する。このように、携帯端末２で選択・設定された操作内容が複数ある場合には、携帯端末２から操作内容を受信するたびに、プレビュー画面１４１ａを更新する。
【００４７】
次に、携帯端末２の処理フローについて図４に基づき説明する。まず、図５（Ａ）に示すように、画像形成装置１ａの操作表示部１４ａにプレビュー画面１４１ａを表示させた状態で、携帯端末２をプレビュー画面１４１ａにかざす。この際、携帯端末２は、画像形成装置１ａとの間で近距離無線通信の接続が確立したか否かを判定する（ステップＳ２１）。
【００４８】
携帯端末２は、上記ステップＳ２１において、画像形成装置１ａとの間で近距離無線通信の接続が確立したと判定した場合（ＹＥＳの場合）、画像形成装置１ａに操作入力情報の送信を要求する（ステップＳ２２）。そして、携帯端末２は、プレビュー画面１４１ａに予め対応付けられた操作入力情報を画像形成装置１ａから受信し（ステップＳ２３）、さらに、図６に示す操作入力情報の組み合わせ可否テーブルを画像形成装置１ａから受信する（ステップＳ２４）。本例では、図３の処理フローと同様に、操作入力情報として、ユーザによって予め設定されている編集項目、ここでは、印刷プレビュー画像の編集に係る両面設定、ヘッダ設定、フッタ設定のＩＤ情報が受信される。また、上記ステップＳ２１において、画像形成装置１ａとの間で近距離無線通信の接続が確立しないと判定した場合（ＮＯの場合）、ステップＳ２１で待機状態に移行する。
【００４９】
携帯端末２は、画像形成装置１ａから、両面設定、ヘッダ設定、フッタ設定のＩＤ情報を受信すると、記憶部２２に記憶されている操作入力画面情報に従って、操作表示部２５に操作入力画面を表示する（ステップＳ２５）。この操作入力画面の一例である各種編集メニュー画面２５１は図５（Ｂ）に示す通りである。つまり、図５（Ｂ）の各種編集メニュー画面２５１には、両面設定、ヘッダ設定、フッタ設定からなる操作入力項目（編集項目）がユーザにより選択可能に表示される。
【００５０】
携帯端末２は、操作表示部２５に表示されている各種編集メニュー画面２５１の中から、ユーザにより操作入力項目が選択されたか否かを判定し（ステップＳ２６）、操作入力項目が選択されたと判定した場合（ＹＥＳの場合）、選択された操作入力項目と組み合わせできない項目があるか否かを、図６の組み合わせ可否テーブルを参照することにより判定する（ステップＳ２７）。また、ステップＳ２６において、操作入力項目が選択されていないと判定した場合（ＮＯの場合）、ステップＳ２６にて待機状態に移行する。
【００５１】
携帯端末２は、ステップＳ２７において、上記で選択された操作入力項目と組み合わせできない項目があると判定した場合（ＹＥＳの場合）、各種編集メニュー画面２５１上で組み合わせできない項目を、例えば、グレーアウト表示あるいは非表示などの選択不可状態にする（ステップＳ２８）。また、ステップＳ２７において、選択された操作入力項目と組み合わせできない項目がないと判定した場合（ＮＯの場合）、ステップＳ２９に移行する。
【００５２】
携帯端末２は、ユーザによりその他の操作入力項目の選択が有ったか否かを判定し（ステップＳ２９）、その他の操作入力項目の選択が有ったと判定した場合（ＹＥＳの場合）、ステップＳ２７に戻り処理を繰り返す。また、ステップＳ２９において、その他の操作入力項目の選択がないと判定した場合（ＮＯの場合）、画像形成装置１ａに対して図５（Ｂ）の各種編集メニュー２５１で選択・設定された操作内容の反映を要求し、操作内容を画像形成装置１ａに送信する（ステップＳ３０）。なお、携帯端末２は、ステップＳ２３及びステップＳ２４において、画像形成装置１ａから操作入力情報及び組み合わせ可否テーブルを受信した後は、携帯端末２を画像形成装置１ａから離してもよい。つまり、ユーザが携帯端末２を画像形成装置１ａから離した状態で、携帯端末２の各種編集メニュー画面２５１を操作するようにしてもよい。この場合、携帯端末２を、画像形成装置１ａのプレビュー画面１４１ａに、再度近接させることで、携帯端末２と画像形成装置１ａとが近距離無線通信を介して接続される。そして、携帯端末２から画像形成装置１ａに操作内容の反映が要求され、上記の操作内容が画像形成装置１ａに送信される。
【００５３】
このように、本実施形態によれば、画像形成装置と携帯端末とを連携させ、画像形成装置の画面遷移をなくし、画像形成装置の画面上で携帯端末からの操作内容を確認しながら各種の操作入力を行うことができる。
【００５４】
（第２の実施形態）
上述の第１の実施形態では、画像形成装置１ａと携帯端末２との無線接続に、ＮＦＣなどの近距離無線通信を使用したが、この近距離無線通信よりも長距離での無線通信が可能な他の無線通信を使用してもよい。例えば、無線ＬＡＮの一種であるＷｉＦｉや、数ｍ程度の無線通信に適したBluetooth（登録商標。以下同様。）などを適用することができる。図２の構成例では、画像形成装置１ａ，携帯端末２はそれぞれ無線ＬＡＮＩ／Ｆ１８ａ，無線ＬＡＮＩ／Ｆ２３を備え、無線ＬＡＮ（ＷｉＦｉ）による無線通信を可能としている。
【００５５】
図７は、本発明の第２の実施形態に係る画像形成装置１ａの処理例を説明するためのフロー図である。図８は、画像形成装置１ａに表示されるＷｉＦｉペアリング設定画面の一例を示す図である。まず、事前にユーザは、画像形成装置１ａの操作表示部１４ａに、図８のＷｉＦｉペアリング設定画面を表示させ、画像形成装置１ａと携帯端末２との間で近距離無線通信の接続が確立したときに、ＷｉＦｉペアリングを有効にするか、無効にするかを設定しておく。本例では、ＷｉＦｉペアリングを有効に設定しておく。
【００５６】
図７において、画像形成装置１ａは、ユーザによる所定の操作入力に応じて、図５（Ａ）に示すプレビュー画面１４１ａを操作表示部１４ａに表示する（ステップＳ３１）。図５（Ａ）の例では、印刷プレビュー画像として、「Ｐａｇｅ１」、「Ｐａｇｅ２」、「Ｐａｇｅ３」、…が表示される。そして、画像形成装置１ａは、プレビュー画面１４１ａを表示させた状態で、携帯端末２が近接された際に、携帯端末２との間で近距離無線通信の接続が確立したか否かを判定する（ステップＳ３２）。
【００５７】
画像形成装置１ａは、上記ステップＳ３２において、携帯端末２との間で近距離無線通信の接続が確立したと判定した場合（ＹＥＳの場合）、図８のＷｉＦｉペアリング設定を参照し、ここでは「有効」に設定されているため、無線ＬＡＮのペアリングを実行する（ステップＳ３３）。また、上記ステップＳ３２において、携帯端末２との間で近距離無線通信の接続が確立しないと判定した場合（ＮＯの場合）、ステップＳ３２で待機状態に移行する。
【００５８】
画像形成装置１ａは、携帯端末２との間で無線ＬＡＮの接続が確立したか否かを判定する（ステップＳ３４）。携帯端末２との間で無線ＬＡＮの接続が確立したと判定した場合（ＹＥＳの場合）、携帯端末２との間の近距離無線通信を終了する（ステップＳ３５）。また、ステップＳ３４において、携帯端末２との間で無線ＬＡＮの接続が確立しないと判定した場合（ＮＯの場合）、ステップＳ３４で待機状態に移行する。
【００５９】
画像形成装置１ａは、無線ＬＡＮを介して、携帯端末２から操作入力情報の送信要求が有ったか否かを判定し（ステップＳ３６）、携帯端末２から操作入力情報の送信要求が有ったと判定した場合（ＹＥＳの場合）、プレビュー画面１４１ａに予め対応付けられた操作入力情報を携帯端末２に送信し（ステップＳ３７）、さらに、図６に示す操作入力情報の組み合わせ可否テーブルを携帯端末２に送信する（ステップＳ３８）。本例では、操作入力情報として、ユーザによって予め設定されている編集項目、ここでは、印刷プレビュー画像の編集に係る両面設定、ヘッダ設定、フッタ設定のＩＤ情報が送信される。また、上記ステップＳ３６において、携帯端末２から操作入力情報の送信要求がないと判定した場合（ＮＯの場合）、ステップＳ３６で待機状態に移行する。
【００６０】
携帯端末２については、前述の第１の実施形態で説明した内容と同様であるが、画像形成装置１ａから、両面設定、ヘッダ設定、フッタ設定のＩＤ情報及び組み合わせ可否テーブル（図６）を、無線ＬＡＮを介して受信すると、記憶部２２に記憶されている操作入力画面情報に従って、操作表示部２５に操作入力画面を表示する。この操作入力画面の一例である各種編集メニュー画面２５１は図５（Ｂ）に示す通りである。つまり、図５（Ｂ）の各種編集メニュー画面２５１には、両面設定、ヘッダ設定、フッタ設定からなる編集項目がユーザにより選択可能に表示される。また、図６の組み合わせ可否テーブルについても同様であるためここでの説明は省略する。
【００６１】
画像形成装置１ａは、無線ＬＡＮを介して、携帯端末２から操作内容の反映要求が有ったか否かを判定し（ステップＳ３９）、携帯端末２から操作内容の反映要求が有ったと判定した場合（ＹＥＳの場合）、携帯端末２から、携帯端末２で選択・設定された操作内容を受信する（ステップＳ４０）。図５（Ｂ）の例では、フッタ設定がユーザにより選択・設定されており、この操作内容として、「フッタ・日付」を受信する。そして、画像形成装置１ａは、ステップＳ４０で受信した操作内容、つまり、図５（Ｂ）の各種編集メニュー画面２５１で指定された「フッタ・日付」に基づいて、図５（Ａ）に示す操作表示部１４ａのプレビュー画面１４１ａを、図５（Ｃ）に示すように更新する（ステップＳ４１）。また、上記ステップＳ３９において、携帯端末２から操作内容の反映要求がないと判定した場合（ＮＯの場合）、ステップＳ３９で待機状態に移行する。
【００６２】
次に、画像形成装置１ａは、携帯端末２から、他の操作内容を受信したか否かを判定し（ステップＳ４２）、他の操作内容を受信したと判定した場合（ＹＥＳの場合）、ステップＳ４１に戻って処理を繰り返し、そうでない場合（ＮＯの場合）、そのまま終了する。このように、携帯端末２で選択・設定された操作内容が複数ある場合には、携帯端末２から操作内容を受信するたびに、プレビュー画面１４１ａを更新する。
【００６３】
このように、本実施形態によれば、第１の実施形態による効果に加え、画像形成装置と携帯端末とが無線ＬＡＮを介して接続されるため、操作入力のたびに携帯端末をかざす必要がなく、画像形成装置から比較的離れた場所からでも操作入力を行うことができる。
【００６４】
（第３の実施形態）
上述の第１，第２の実施形態では、図１の電子機器１として画像形成装置を例示して説明したが、電子機器１の実施形態は画像形成装置に限定されるものではなく、ユーザの指あるいはペンにより手書き入力を行える電子黒板であってもよい。
【００６５】
図９は、本発明の第３の実施形態に係る操作入力システムの構成例を示すブロック図である。本例のシステムは、電子機器１の一例である電子黒板１ｂと、電子黒板１ｂとの間で近距離無線通信が可能な携帯端末２とにより構成される。図９（Ａ）は電子黒板１ｂの構成例を示し、図９（Ｂ）は携帯端末２の構成例を示す。
【００６６】
図９（Ａ）において、電子黒板１ｂは、ハードディスクや半導体メモリなどの記憶部１１ｂと、携帯端末２との間でＮＦＣなどの近距離無線通信を行う近距離無線通信部１２ｂと、タッチパネルを有する操作表示部１３ｂと、電子黒板１ｂの動作を制御するＣＰＵやメモリ等からなる制御部１４ｂと、テンキーや各種操作キーを含む操作入力部１５ｂと、携帯端末２との間でＷｉＦｉなどの無線ＬＡＮ通信を行う無線ＬＡＮＩ／Ｆ（インターフェイス）１６ｂとを備える。
【００６７】
図９（Ｂ）において、携帯端末２は、図２（Ｂ）の構成例と同様に、近距離無線通信部２１、記憶部２２、無線ＬＡＮＩ／Ｆ２３、制御部２４、操作表示部２５、及び撮影部２６を備える。
【００６８】
本実施形態では、電子黒板と携帯端末とを連携させ、電子黒板の画面遷移をなくし、電子黒板の画面上で携帯端末からの操作内容を確認しながら各種の操作入力を行えるようにする。このための構成として、電子黒板１ｂは、操作表示部１３ｂ（本発明の表示部に相当）に特定画面を表示させた状態で、携帯端末２の近接を検知した場合に、特定画面に予め対応付けられた操作入力情報を携帯端末２に送信する操作入力情報送信部を備える。この操作入力情報送信部は、電子黒板１ｂの制御部１４ｂ及び近距離無線通信部１２ｂにより実現される。より具体的には、ユーザが携帯端末２を電子黒板１ｂの操作表示部１３ｂにかざしたときに、電子黒板１ｂの近距離無線通信部１２ｂが携帯端末２の近接を検知し、電子黒板１ｂの近距離無線通信部１２ｂと携帯端末２の近距離無線通信部２１との間で例えばＮＦＣに基づく通信プロトコルが確立され、相互に通信可能に接続される。
【００６９】
また、電子黒板１ｂの操作表示部１３ｂに表示される特定画面としては、例えば、前述の図１４に示した手書き入力画面を挙げることができる。また、電子黒板１ｂから携帯端末２へ送信される操作入力情報とは、手書き入力画面に予め対応付けられた操作入力項目のＩＤ情報、あるいは、手書き入力画面に予め対応付けられた操作入力項目のＩＤ情報を含む操作入力画面情報である。この操作入力項目としては、図１４に示したように、ペンの種類、太さ、色などの編集項目をそのまま設定してもよく、あるいは、これら編集項目のうちでユーザがよく利用する編集項目のみを選択的に設定してもよい。具体的には、例えば、ペン色のみを予め手書き入力画面に対応付けておく。また、操作入力項目のＩＤ情報とは、これらの操作入力項目を識別し、操作入力項目に応じた操作内容を通知するための情報である。画像形成装置１ａはこのＩＤ情報により通知される操作内容を実行するように制御される。また、操作入力画面情報とは、上記の操作入力項目を画面上にアイコン表示するためのサイズや配置等の情報である。
【００７０】
携帯端末２は、操作表示部１３ｂに画面が表示された状態の電子黒板１ｂに近接したときに、電子黒板１ｂから手書き入力画面に予め対応付けられた操作入力情報を受信する操作入力情報受信部と、受信した操作入力情報に基づく操作入力画面を表示する操作入力画面表示部と、操作入力画面からユーザにより指示された操作内容（すなわち、ＩＤ情報）を電子黒板１ｂに送信する操作内容送信部とを備える。なお、操作入力画面表示部は、携帯端末２の操作表示部２５に相当する。また、操作入力情報受信部及び操作内容送信部は、携帯端末２の制御部２４及び近距離無線通信部２１により実現される。ここで、携帯端末２の操作表示部２５に操作入力画面を表示させる方法としては、第１の実施形態の場合と同様に、電子黒板１ｂから送信される操作入力情報の内容に応じて２通り考えられるが、ここでの繰り返しの説明は省略する。
【００７１】
そして、電子黒板１ｂは、携帯端末２からユーザにより指示された操作内容（ＩＤ情報）を受信する操作内容受信部と、受信した操作内容に従って手書き入力画面を更新する画面更新部とを備える。なお、操作内容受信部は、電子黒板１ｂの制御部１４ｂ及び近距離無線通信部１２ｂにより実現される。また、画面更新部は、電子黒板１ｂの制御部１４ｂの一機能として実現される。なお、本実施形態においても、近距離無線通信の代わりに、無線ＬＡＮ（ＷｉＦｉ）あるいはBluetoothなどの無線通信を用いてもよい。電子黒板１ｂを適用したときの操作入力方法の基本的な処理の流れは、画像形成装置１ａの場合と同様であるが、いくつかの具体例について図１０〜図１２に基づき説明する。
【００７２】
図１０は、本発明の第３の実施形態に係る操作入力システムの処理例を説明するための図である。まず、電子黒板１ｂは、ユーザによる所定の操作入力に応じて、図１０（Ａ）に示すような手書き入力画面１３１ｂ、すなわち、手書き入力画像１３２ｂを含む手書き入力画面１３１ｂを操作表示部１３ｂに表示する。そして、電子黒板１ｂは、手書き入力画面１３１ｂに手書き入力画像１３２ｂを表示させた状態で、携帯端末２の近接を検知した場合、手書き入力画面１３１ｂに予め対応付けられた操作入力情報を携帯端末２に送信する。本例では、操作入力情報として、ユーザによって予め設定されている編集項目、ここでは、手書き入力画像の編集に係るペン色のＩＤ情報が送信される。
【００７３】
携帯端末２では、電子黒板１ｂから送信された、ペン色のＩＤ情報に対応付けられた操作入力画面情報を記憶しており、この操作入力画面情報に従って、操作表示部２５に操作入力画面を表示する。この操作入力画面の一例であるペン色編集画面を図１０（Ｂ）に示す。つまり、図１０（Ｂ）のペン色編集画面２５２には、ペン色として、黒、赤、緑がユーザにより選択可能に表示される。携帯端末２は、このペン色編集画面２５２に対してユーザにより選択・設定された操作内容を電子黒板１ｂに送信する。
【００７４】
電子黒板１ｂは、携帯端末２から、携帯端末２で選択・設定された操作内容を受信する。図１０（Ｂ）の例では、ペン色の“赤”がユーザにより選択・設定されており、この操作内容として、「ペン色・赤」を受信する。そして、電子黒板１ｂは、携帯端末２から受信した操作内容、つまり、図１０（Ｂ）のペン色編集画面２５２で指定された「ペン色・赤」に基づいて、図１０（Ａ）に示す操作表示部１３ｂの手書き入力画面１３１ｂを更新する。具体的には、例えば、図１０（Ｃ）に示すように、手書き入力画面１３１ｂに手書き入力された手書き入力画像１３３ｂのペン色が“赤”に変更される。なお、既に表示されている手書き入力画像１３２ｂのペン色についても、同様の内容で変更してもよい。
【００７５】
図１１は、本発明の第３の実施形態に係る操作入力システムの他の処理例を説明するための図である。まず、電子黒板１ｂは、ユーザによる所定の操作入力に応じて、図１１（Ａ）に示すような手書き入力画面１３１ｂ、すなわち、送信先アドレス入力欄１３４ｂを含む手書き入力画面１３１ｂを操作表示部１３ｂに表示する。なお、送信先アドレス入力欄１３４ｂが表示された状態では手書き入力を無効とする。そして、電子黒板１ｂは、手書き入力画面１３１ｂに送信先アドレス入力欄１３４ｂを表示させた状態で、携帯端末２の近接を検知した場合、手書き入力画面１３１ｂに予め対応付けられた操作入力情報を携帯端末２に送信する。本例では、操作入力情報として、送信先アドレス入力欄１３４ｂに対応したＩＤ情報が送信される。
【００７６】
携帯端末２では、電子黒板１ｂから送信された、送信先アドレス入力欄のＩＤ情報に対応付けられた操作入力画面情報を記憶しており、この操作入力画面情報に従って、操作表示部２５に操作入力画面を表示する。この操作入力画面の一例である送信先アドレス入力画面を図１１（Ｂ）に示す。つまり、図１１（Ｂ）の送信先アドレス入力画面２５３には、送信先アドレス入力欄２５３ａと、仮想キーボード２５３ｂとが含まれる。なお、仮想キーボード２５３ｂは携帯端末２に元々搭載されており、送信先アドレス入力欄２５３ａの表示に連動して表示される。ユーザはこの仮想キーボード２５３ｂをタッチ操作することにより所望のアドレス情報（ここでは、ａｂｃ…）を入力する。この操作入力の内容は送信先アドレス入力欄２５３ａに反映・表示される。そして、携帯端末２は、例えば、所定の送信ボタン（図示せず）がユーザにより押下されると、送信先アドレス入力画面２５３から入力された操作内容を電子黒板１ｂに送信する。
【００７７】
電子黒板１ｂは、携帯端末２から、携帯端末２で入力された操作内容を受信する。図１１（Ｂ）の例では、送信先アドレスとして、「ａｂｃ…」がユーザにより入力されており、この操作内容として、「ａｂｃ…」を受信する。そして、電子黒板１ｂは、携帯端末２から受信した操作内容、つまり、図１１（Ｂ）の送信先アドレス入力画面２５３で指定された「ａｂｃ…」に基づいて、図１１（Ａ）に示す操作表示部１３ｂの手書き入力画面１３１ｂを更新する。具体的には、例えば、図１１（Ｃ）に示すように、手書き入力画面１３１ｂの送信先アドレス入力欄１３４ｂに操作内容「ａｂｃ…」を自動的に反映させる。
【００７８】
図１２は、本発明の第３の実施形態に係る操作入力システムの更に他の処理例を説明するための図である。まず、電子黒板１ｂは、ユーザによる所定の操作入力に応じて、図１２（Ａ）に示すような手書き入力画面１３１ｂ、すなわち、手書き入力画像１３２ｂを含む手書き入力画面１３１ｂを操作表示部１３ｂに表示する。そして、電子黒板１ｂは、手書き入力画面１３１ｂに手書き入力画像１３２ｂを表示させた状態で、携帯端末２の近接を検知した場合、手書き入力画面１３１ｂに予め対応付けられた操作入力情報を携帯端末２に送信する。本例では、操作入力情報として、手書き入力画像１３２ｂを含むページ一覧、すなわち、手書き入力画像１３２ｂをＰ１とし、手書き入力画像Ｐ１〜Ｐ４までを含むページ一覧が送信される。
【００７９】
携帯端末２では、電子黒板１ｂから送信されたページ一覧に対応付けられた操作入力画面情報を記憶しており、この操作入力画面情報に従って、操作表示部２５に操作入力画面を表示する。この操作入力画面の一例であるページ一覧画面を図１２（Ｂ）に示す。つまり、図１２（Ｂ）のページ一覧画面２５４には、手書き入力画像Ｐ１〜Ｐ４がユーザにより選択可能に表示される。携帯端末２は、このページ一覧画面２５４に対してユーザにより選択された操作内容を電子黒板１ｂに送信する。ここでは、図１２（Ｃ）に示すように、手書き入力画像Ｐ４に対応する「Ｐ４」が送信される。
【００８０】
電子黒板１ｂは、携帯端末２から、携帯端末２で選択された操作内容を受信する。図１２（Ｃ）の例では、手書き入力画像Ｐ４がユーザにより選択されており、この操作内容として、「Ｐ４」を受信する。そして、電子黒板１ｂは、携帯端末２から受信した操作内容、つまり、図１２（Ｃ）のページ一覧画面２５４で指定された「Ｐ４」に基づいて、図１２（Ａ）に示す操作表示部１３ｂの手書き入力画面１３１ｂを更新する。具体的には、例えば、図１２（Ｄ）に示すように、手書き入力画面１３１ｂに表示されている手書き入力画像１３２ｂ（Ｐ１）を、手書き入力画像１３５ｂ（Ｐ４）に切り替える。
【００８１】
このように、本実施形態によれば、電子黒板と携帯端末とを連携させ、電子黒板の画面遷移をなくし、電子黒板の画面上で携帯端末からの操作内容を確認しながら各種の操作入力を行うことができる。
【００８２】
以上、本発明の各実施形態として操作入力システム、電子機器、携帯端末、及び操作入力方法を例示して説明したが、本発明は、この操作入力方法をコンピュータに実行させるためのプログラムの形態、あるいは、このプログラムを記録したコンピュータ読み取り可能な記録媒体の形態としてもよい。
【００８３】
上記の記録媒体としては、具体的には、ＣＤ−ＲＯＭ（−Ｒ／−ＲＷ）、光磁気ディスク、ＨＤ（ハードディスク）、ＤＶＤ−ＲＯＭ（−Ｒ／−ＲＷ／−ＲＡＭ）、ＦＤ（フレキシブルディスク）、フラッシュメモリ、メモリカードや、メモリスティック及びその他各種ＲＯＭやＲＡＭ等が想定でき、これら記録媒体に上述した本発明の操作入力方法をコンピュータに実行させるためのプログラムを記録して流通させることにより、当該方法の実現を容易にする。そしてコンピュータ等の情報処理装置に上記のごとくの記録媒体を装着して情報処理装置によりプログラムを読み出すか、若しくは情報処理装置が備えている記憶媒体に当該プログラムを記憶させておき、必要に応じて読み出すことにより、本発明による操作入力方法を実行することができる。
【符号の説明】
【００８４】
１…電子機器、１ａ…画像形成装置、１ｂ…電子黒板、２…携帯端末、１１ａ…原稿読取部、１２ａ…画像形成部、１３ａ…画像処理部、１４ａ，１３ｂ，２５…操作表示部、１５ａ，１４ｂ，２４…制御部、１６ａ，１１ｂ，２２…記憶部、１７ａ，１５ｂ…操作入力部、１８ａ，１６ｂ，２３…無線ＬＡＮＩ／Ｆ、１９ａ，１２ｂ，２１…近距離無線通信部、２６…撮影部。
【図１】
0006045487.tif 000002
【図２】
0006045487.tif 000003
【図３】
0006045487.tif 000004
【図４】
0006045487.tif 000005
【図５】
0006045487.tif 000006
【図６】
0006045487.tif 000007
【図７】
0006045487.tif 000008
【図８】
0006045487.tif 000009
【図９】
0006045487.tif 000010
【図１０】
0006045487.tif 000011
【図１１】
0006045487.tif 000012
【図１２】
0006045487.tif 000013
【図１３】
0006045487.tif 000014
【図１４】
0006045487.tif 000015